(57)【特許請求の範囲】
【請求項１】
ケース部と、
前記ケース部の内部に組み付けられる単一のモータと、
ウォームギアと、第１伝動軸と、第１ギアと、第２ギアと、第３ギアと、を含み、前記ケース部の内部に組み付けられ、前記モータのシャフトは、前記ウォームギアに固定され、前記ウォームギアを駆動でき、前記第１伝動軸には、前記第１ギアと、前記第２ギアと、が固定され、前記第１伝動軸に一方向軸受が組み付けられ、前記一方向軸受の外周面に前記第３ギアが組み付けられ、前記ウォームギアは前記第１伝動軸に設けられる前記第１ギアを駆動する一組の第１伝動装置と、
第２伝動軸と、大径ギアと、を含み、前記ケース部の内部に組み付けられ、前記第１伝動装置の前記第２ギアが前記大径ギアと噛合い、前記大径ギアは、前記第２伝動軸に固定され、前記第２伝動軸を駆動できる一組の第２伝動装置と、
左右に対向して設けられる２個一対の回転斜面構造体と、揺動アームと、按摩ヘッド支持台と、二つの按摩ヘッドと、を含み、前記ケース部の内部から前記ケース部の外部に突出しており、前記各回転斜面構造体は前記第２伝動軸に固定され、これにより、前記第２伝動軸は前記各回転斜面構造体を駆動して回転でき、前記各回転斜面構造体の対向面は互いに平行且つ同一方向に傾斜して形成され、前記揺動アームは前記各回転斜面構造体に挟持された姿勢で該各回転斜面構造体の対向面に当接しており、前記揺動アームに前記按摩ヘッド支持台が組み付けられ、前記按摩ヘッド支持台に按摩ヘッドが組み付けられる少なくとも一組の揉み装置と、
第３伝動軸と、第４ギアと、第５ギアと、第４伝動軸と、第６ギアと、を含み、前記ケース部の内部に組み付けられ、前記第１伝動装置により、前記一方向軸受を有する前記第３ギアが伝動され、前記第３ギアにより前記第４ギアが駆動され、前記第４ギアと前記第５ギアとが前記第３伝動軸に固定され、前記第５ギアは前記第４伝動軸に固定される前記第６ギアと噛合う少なくとも一組の第３伝動装置と、
前記ケース部の内部から前記ケース部の外部に突出しており、前記第４伝動軸に偏心ホイールが設けられ、前記偏心ホイールは前記第４伝動軸に固定される偏心カムと該偏心カムの周囲に設けられる環状体とを備え、前記偏心ホイールに偏心軸が設けられ、前記偏心軸は、ユニバーサルジョイントを介してレバー押えブロックと連接しており、前記レバー押えブロックは前記按摩ヘッドに固定される少なくとも一組の叩き装置と、
を含み、
前記モータのシャフトが正回転しているときには、前記ウォームギアにより前記第１伝動装置の前記第１ギア及び前記第１伝動軸が駆動され、前記第２ギアが前記大径ギア及び前記第２伝動軸を駆動し、前記第２伝動軸の回転により前記回転斜面構造体が回転し、この回転斜面構造体の回転により、前記揺動アームが左右に揺動し、これにより、前記按摩ヘッド支持台及び前記二つの按摩ヘッドが左右に揺動してユーザに対して揉み按摩動作を行い、
前記モータのシャフトが逆回転しているときには、前記ウォームギアにより前記第１伝動装置の前記第１ギア及び前記第１伝動軸が駆動され、前記第２ギアが前記大径ギア及び前記第２伝動軸を駆動し、前記第２伝動軸の回転により前記回転斜面構造体が回転し、この回転斜面構造体の回転により、前記揺動アームが左右に揺動し、これにより、前記按摩ヘッド支持台及び前記二つの按摩ヘッドが左右に揺動してユーザを揉むことができると同時に、前記第１伝動軸の逆回転の動力は、前記一方向軸受を経由して前記第３ギアを駆動し、前記第３ギアが前記第３伝動装置の前記第４ギア及び前記第３伝動軸を駆動し、前記第５ギアが前記第６ギア及び前記第４伝動軸を駆動し、前記第４伝動軸の回転により前記叩き装置の前記偏心ホイールが駆動され、前記偏心ホイールの前記偏心カムの回転に伴って前記環状体が前記第４伝動軸に交差する方向に往復動し、これによって、前記偏心軸及び前記レバー押えブロックを介して、前記按摩ヘッド支持台及び前記二つの按摩ヘッドが連動して、ユーザに対して叩き按摩を行うことを特徴とする揉み及び叩き機能付き按摩装置。
【請求項２】
二つの前記按摩ヘッドの内部に赤外線ランプ板が設けられ、前記赤外線ランプ板による温湿布効果は按摩の補助となることを特徴とする、請求項１に記載の揉み及び叩き機能付き按摩装置。
【請求項３】
前記ケース部の前記按摩ヘッドが突出する裏面は、ユーザの背部の円弧度に丁度合うように凹状に形成されており、前記裏面の左右両側にハンドルがそれぞれ設けられていることを特徴とする、請求項１に記載の揉み及び叩き機能付き按摩装置。
【発明の詳細な説明】
【技術分野】
【０００１】
本発明は、按摩器に関し、特に、回転斜面の左右揺動によりユーザを揉むことができ、偏心ホイールによりユーザを叩くことができる按摩装置に関するものである。
【背景技術】
【０００２】
国民は、日常生活が極めて忙しいため、暇があれば、家に帰って休むことが一般的である。しかし、仕事によるストレスにより、腰が酸っぱくて背部が痛い国民は、家のうちに市販している按摩器を利用して、疲労及びストレスを解消する。
しかし、従来の按摩器は、単純な転がり按摩動作だけを提供でき、疲労及びストレスを有効に解消できず、そして提供できる按摩動作は、極めて単調であり、変化が少ないため、ユーザがある期間に利用すると、持続に利用する意欲が無くなってしまうという問題があった（例えば、特許文献１参照）。
【０００３】
【特許文献１】実用新案登録第３１７６３３５号公報
【発明の概要】
【発明が解決しようとする課題】
【０００４】
本発明の主な目的は、動力源が回転斜面と偏心ホイールとを伝動して、回転斜面の左右揺動によりユーザを揉むことができ、偏心ホイールによりユーザを叩くことができ、そして偏心ホイールに一方向軸受を設けることにより、揉み按摩のモード、又は揉み按摩をしながら叩き按摩をするモードを選択して按摩できる揉み及び叩き機能付き按摩装置を提供することにある。
【課題を解決するための手段】
【０００５】
本発明の揉み及び叩き機能付き按摩装置によると、ケース部と、前記ケース部の内部に組み付けられる単一のモータと、ウォームギアと、第１伝動軸と、第１ギアと、第２ギアと、第３ギアと、を含み、前記ケース部の内部に組み付けられ、前記モータのシャフトは、前記ウォームギアに固定され、前記ウォームギアを駆動でき、前記第１伝動軸には、前記第１ギアと、前記第２ギアと、が固定され、前記第１伝動軸に一方向軸受が組み付けられ、前記一方向軸受の外周面に前記第３ギアが組み付けられ、前記ウォームギアは前記第１伝動軸に設けられる前記第１ギアを駆動する一組の第１伝動装置と、第２伝動軸と、大径ギアと、を含み、前記ケース部の内部に組み付けられ、前記第１伝動装置の前記第２ギアが前記大径ギアと噛合い、前記大径ギアは、前記第２伝動軸に固定され、前記第２伝動軸を駆動できる一組の第２伝動装置と、左右に対向して設けられる２個一対の回転斜面構造体と、揺動アームと、按摩ヘッド支持台と、二つの按摩ヘッドと、を含み、前記ケース部の内部から前記ケース部の外部に突出しており、前記各回転斜面構造体は前記第２伝動軸に固定され、これにより、前記第２伝動軸は前記各回転斜面構造体を駆動して回転でき、前記各回転斜面構造体の対向面は互いに平行且つ同一方向に傾斜して形成され、前記揺動アームは前記各回転斜面構造体に挟持された姿勢で該各回転斜面構造体の対向面に当接しており、前記揺動アームに前記按摩ヘッド支持台が組み付けられ、前記按摩ヘッド支持台に按摩ヘッドが組み付けられる少なくとも一組の揉み装置と、第３伝動軸と、第４ギアと、第５ギアと、第４伝動軸と、第６ギアと、を含み、前記ケース部の内部に組み付けられ、前記第１伝動装置により、前記一方向軸受を有する前記第３ギアが伝動され、前記第３ギアにより前記第４ギアが駆動され、前記第４ギアと前記第５ギアとが前記第３伝動軸に固定され、前記第５ギアは前記第４伝動軸に固定される前記第６ギアと噛合う少なくとも一組の第３伝動装置と、前記ケース部の内部から前記ケース部の外部に突出しており、前記第４伝動軸に偏心ホイールが設けられ、前記偏心ホイールは前記第４伝動軸に固定される偏心カムと該偏心カムの周囲に設けられる環状体とを備え、前記偏心ホイールに偏心軸が設けられ、前記偏心軸は、ユニバーサルジョイントを介してレバー押えブロックと連接しており、前記レバー押えブロックは前記按摩ヘッドに固定される少なくとも一組の叩き装置と、を含み、前記モータのシャフトが正回転しているときには、前記ウォームギアにより前記第１伝動装置の前記第１ギア及び前記第１伝動軸が駆動され、前記第２ギアが前記大径ギア及び前記第２伝動軸を駆動し、前記第２伝動軸の回転により前記回転斜面構造体が回転し、この回転斜面構造体の回転により、前記揺動アームが左右に揺動し、これにより、前記按摩ヘッド支持台及び前記二つの按摩ヘッドが左右に揺動してユーザに対して揉み按摩動作を行い、前記モータのシャフトが逆回転しているときには、前記ウォームギアにより前記第１伝動装置の前記第１ギア及び前記第１伝動軸が駆動され、前記第２ギアが前記大径ギア及び前記第２伝動軸を駆動し、前記第２伝動軸の回転により前記回転斜面構造体が回転し、この回転斜面構造体の回転により、前記揺動アームが左右に揺動し、これにより、前記按摩ヘッド支持台及び前記二つの按摩ヘッドが左右に揺動してユーザを揉むことができると同時に、前記第１伝動軸の逆回転の動力は、前記一方向軸受を経由して前記第３ギアを駆動し、前記第３ギアが前記第３伝動装置の前記第４ギア及び前記第３伝動軸を駆動し、前記第５ギアが前記第６ギア及び前記第４伝動軸を駆動し、前記第４伝動軸の回転により前記叩き装置の前記偏心ホイールが駆動され、前記偏心ホイールの前記偏心カムの回転に伴って前記環状体が前記第４伝動軸に交差する方向に往復動し、これによって、前記偏心軸及び前記レバー押えブロックを介して、前記按摩ヘッド支持台及び前記二つの按摩ヘッドが連動して、ユーザに対して叩き按摩を行うことを特徴とする。
【０００６】
本発明の揉み及び叩き機能付き按摩装置によると、二つの按摩ヘッドの内部に赤外線ランプ板が設けられ、赤外線ランプ板による温湿布効果は按摩の補助となることを特徴とする。
【０００７】
本発明の揉み及び叩き機能付き按摩装置によると、前記ケース部の前記按摩ヘッドが突出する裏面は、ユーザの背部の円弧度に丁度合うように凹状に形成されており、前記裏面の左右両側にハンドルがそれぞれ設けられていることを特徴とする。
【発明の効果】
【０００８】
本発明の揉み及び叩き機能付き按摩装置によれば、動力源が回転斜面と偏心ホイールとを伝動して、回転斜面の左右揺動によりユーザを揉むことができ、偏心ホイールによりユーザを叩くことができ、そして偏心ホイールに一方向軸受を設けることにより、揉み按摩のモード、又は揉み按摩をしながら叩き按摩をするモードを選択して按摩できるという効果を有する。
【図面の簡単な説明】
【０００９】
【図１】本発明の実施例の組立状態を示す斜視図である。
【図２】本発明の実施例を示す分解斜視図である。
【図３】本発明の実施例の伝動部分を示す平面図である。
【図４】本発明の実施例のケース部を取り除いた状態を示す斜視図である。
【図５】本発明の実施例の揉み動作及び叩き動作を示す模式図である。
【図６】本発明の実施例が流線型按摩器に適用される状態を前方から見た斜視図である。
【図７】本発明の実施例が流線型按摩器に適用される状態を後方から見た斜視図である。
【発明を実施するための形態】
【００１０】
以下、本発明の実施の形態を図面に基づいて説明する。
図１乃至図５を参照する。図１は本発明の実施例の組立状態を示す斜視図であり、図２は本発明の実施例を示す分解斜視図であり、図３は本発明の実施例の伝動部分を示す平面図であり、図４は本発明の実施例のケース部を取り除いた状態を示す斜視図であり、図５は本発明の実施例の揉み動作及び叩き動作を示す模式図である。本発明の揉み及び叩き機能付き按摩装置は、ケース部１０と、動力源と、一組の第１伝動装置３０と、一組の第２伝動装置４０と、少なくとも一組の揉み装置５０と、少なくとも一組の第３伝動装置６０と、少なくとも一組の叩き装置７０と、を含む。
【００１１】
前記動力源は、モータ２０を採用してもよく、モータ２０がケース部１０の内部に組み付けられる。
【００１２】
一組の第１伝動装置３０は、ウォームギア３１と、第１伝動軸３２と、第１ギア３３と、第２ギア３４と、第３ギア３５と、を含み、ケース部１０の内部に組み付けられる。モータ２０のシャフト２１は、ウォームギア３１に固定されて、ウォームギア３１を駆動できる。第１伝動軸３２には、第１ギア３３と、第２ギア３４と、が固定される。第１伝動軸３２に一方向軸受３６が組み付けられる。一方向軸受３６の外周面に第３ギア３５が組み付けられる。ウォームギア３１は、第１伝動軸３２に設けられる第１ギア３３を駆動する。
【００１３】
一組の第２伝動装置４０は、第２伝動軸４１と、大径ギア４２と、を含み、ケース部１０の内部に組み付けられる。第１伝動装置３０の第２ギア３４は大径ギア４２と噛合う。大径ギア４２は、第２伝動軸４１に固定されて、第２伝動軸４１を駆動できる。
【００１４】
少なくとも一組の揉み装置５０は、回転斜面構造５１と、揺動アーム５２と、按摩ヘッド支持台５３と、二つの赤外線ランプ板５４と、二つの按摩ヘッド５５と、を含み、ケース部１０の内部からケース部１０の外部に突出している。回転斜面構造５１は第２伝動軸４１に固定され、これにより、第２伝動軸４１は回転斜面構造５１を駆動して回転できる。揺動アーム５２は回転斜面構造５１に当接しており、回転斜面構造５１の回転により、揺動アーム５２が左右に揺動される。揺動アーム５２に按摩ヘッド支持台５３が組み付けられ、これにより、按摩ヘッド支持台５３も左右に揺動される。按摩ヘッド支持台５３には、赤外線ランプ板５４と、按摩ヘッド５５と、が組み付けられる。按摩ヘッド５５は左右に揺動してユーザを揉むことができる。赤外線ランプ板５４による温湿布効果は按摩の補助となる。
【００１５】
少なくとも一組の第３伝動装置６０は、第３伝動軸６１と、第４ギア６２と、第５ギア６３と、第４伝動軸６４と、第６ギア６５と、を含み、ケース部１０の内部に組み付けられる。第１伝動装置３０により、一方向軸受３６を有する第３ギア３５が伝動される。第３ギア３５により第４ギア６２が駆動される。第４ギア６２と第５ギア６３とは第３伝動軸６１に固定される。第５ギア６３は、第４伝動軸６４に固定される第６ギア６５と噛合う。
【００１６】
少なくとも一組の叩き装置７０は、ケース部１０の内部からケース部１０の外部に突出している。第４伝動軸６４に偏心ホイール７１が設けられる。偏心ホイール７１に偏心軸７２が枢着される。偏心軸７２は、ユニバーサルジョイント７２１を介してレバー押えブロック７３と連接している。レバー押えブロック７３は按摩ヘッド支持台５３の傍に固定される。モータ２０が逆転しているときに、偏心ホイール７１は按摩ヘッド５５を駆動して叩き動作を発生し、このとき、按摩ヘッド５５は揉み按摩動作を同期に行っている。
【００１７】
上記の構成によれば、モータ２０のシャフト２１が回転しているときには、第１伝動装置３０の第１ギア３３及び第１伝動軸３２が駆動されて、第２ギア３４が大径ギア４２及び第２伝動軸４１を駆動して、第２伝動軸４１の回転により回転斜面構造５１が回転される。回転斜面構造５１の回転により、揺動アーム５２が左右に揺動され、ひいては按摩ヘッド支持台５２及び二つの按摩ヘッド５５は左右に揺動してユーザを揉むことができ、揉み按摩の効果を達成できる。
【００１８】
なお、モータ２０のシャフト２１が逆転しているときには、第１伝動装置３０の第１ギア３３及び第１伝動軸３２が駆動されて、第２ギア３４が大径ギア４２及び第２伝動軸４１を駆動して、第２伝動軸４１の回転により回転斜面構造５１が回転される。回転斜面構造５１の回転により、揺動アーム５２が左右に揺動され、ひいては按摩ヘッド支持台５２及び二つの按摩ヘッド５５は左右に揺動してユーザを揉むことができ、揉み按摩の効果を達成できる。このとき、第１伝動軸３２の逆転の動力は、一方向軸受３６を経由して第３ギア３５を駆動して、第３ギア３５が第３伝動装置６０の第４ギア６２及び第３伝動軸６１を駆動して、第５ギア６３が第６ギア６５及び第４伝動軸６４を駆動して、第４伝動軸６４の回転により、叩き装置７０の偏心ホイール７１が駆動されて、偏心ホイール７１の回転により、偏心軸７２が持続に押されて引かれるため、レバー押えブロック７３、按摩ヘッド支持台５３及び二つの按摩ヘッド５５が連動されて、ユーザに対して揉み按摩及び叩き按摩を同時に行うことができる。
【００１９】
図６及び図７を参照する。図６は本発明の実施例が流線型按摩器に適用される状態を前方から見た斜視図であり、図７は本発明の実施例が流線型按摩器に適用される状態を後方から見た斜視図である。本発明の揉み及び叩き機能付き按摩装置は、按摩器８０の内部に取り付けられ、その全ての按摩ヘッド５５は按摩器８０の円弧状を呈する裏面に向いており、按摩器８０の両端にハンドル８１がそれぞれ設けられ、ユーザは二つのハンドル８１を握ることができ、按摩器８０の円弧度がユーザの背部の円弧度に丁度合う。このように、本発明の揉み及び叩き機能付き按摩装置により、ユーザの背部に対して揉み按摩及び叩き按摩を行うことができる。
【００２０】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【産業上の利用可能性】
【００２１】
本発明は、按摩装置に適用することができる。
【符号の説明】
【００２２】
１：按摩装置
１０：ケース部
２０：モータ
２１：シャフト
３０：第１伝動装置
３１：ウォームギア
３２：第１伝動軸
３３：第１ギア
３４：第２ギア
３５：第３ギア
３６：一方向軸受
４０：第２伝動装置
４１：第２伝動軸
４２：大径ギア
５０：揉み装置
５１：回転斜面構造
５２：揺動アーム
５３：按摩ヘッド支持台
５４：赤外線ランプ板
５５：按摩ヘッド
６０：第３伝動装置
６１：第３伝動軸
６２：第４ギア
６３：第５ギア
６４：第４伝動軸
６５：第６ギア
７０：叩き装置
７１：偏心ホイール
７２：偏心軸
７３：レバー押えブロック
８０：按摩器
８１：ハンドル
７２１：ユニバーサルジョイント
【要約】
【課題】回転斜面の左右揺動によりユーザを揉むことができ、偏心ホイールによりユーザを叩くことができ、そして揉み按摩のモード、又は揉み按摩をしながら叩き按摩をするモードを選択して按摩できる按摩装置を提供する。
【解決手段】ケース部を含み、ケース部の内部に動力源が設けられ、動力源はモータを採用してもよく、モータが第１伝動装置を駆動して、第１伝動装置が第２伝動装置を駆動して、第２伝動装置が回転斜面構造を駆動して、回転斜面構造の回転により揺動アームが左右に揺動され、揺動アームには、按摩ヘッド支持台と、赤外線ランプ板と、二つの按摩ヘッドと、が設けられ、このように、二つの按摩ヘッドにより揉み按摩動作が発生され、第１伝動装置は第３伝動装置を駆動してもよく、この場合には、第３伝動装置が偏心ホイールを駆動して、二つの按摩ヘッドにより叩き按摩動作が発生される。
【選択図】図２【図１】
0005507655.tif 000002
【図２】
0005507655.tif 000003
【図３】
0005507655.tif 000004
【図４】
0005507655.tif 000005
【図５】
0005507655.tif 000006
【図６】
0005507655.tif 000007
【図７】
0005507655.tif 000008